(57)【要約】【課題】オイルパン内のオイルに気泡が混在しても、オイルのみを確実に吸引してろ過でき、バルブボディ内の各要素を安定に動作させることができる変速機のオイル供給装置を提供する。【解決手段】変速機のオイルパン１内に配設されたストレーナ２と、ストレーナ２に油圧経路６を介して連結されたオイルポンプ７とを有し、オイルポンプ７の作動によりオイルパン１内のオイル８をストレーナ２に形成された吸入口４からストレーナ２及び油圧経路６を経て吸引して、ろ過されたオイルを変速機内の各部に供給するようにした変速機のオイル供給装置において、オイルパン１の底部に円形状の凹部１１を形成して、旋回流発生手段により凹部１１内でオイル８の旋回流を発生させ、その凹部１１内のオイル８を、凹部１１の中心部からオフセットした位置において吸入口４から吸引する。【選択図】　図１
2004028145.tif 000002
【特許請求の範囲】
【請求項１】
変速機のオイルパン内に配設されたストレーナと、該ストレーナに油圧経路を介して連結されたオイルポンプとを有し、該オイルポンプの作動により上記オイルパン内のオイルを上記ストレーナに形成された吸入口から上記ストレーナ及び上記油圧経路を経て吸引して、上記変速機内の各部に供給するようにした変速機のオイル供給装置において、
上記オイルパンの底部に形成した円形状の凹部と、
該凹部内でオイルの旋回流を発生させる旋回流発生手段とを設け、
上記吸入口が、上記凹部の中心部からオフセットした位置に配置されたことを特徴とする変速機のオイル供給装置。
【請求項２】
上記吸入口の下端開口部の少なくとも一部を、上記凹部の円周方向の一方の側に向けて開口させ、該吸入口からオイルを吸引することにより、上記凹部内でオイルの旋回流を発生させるように上記旋回流発生手段を構成したことを特徴とする請求項１に記載の変速機のオイル供給装置。
【請求項３】
上記オイルパン内に還流されるオイルを、上記凹部内の外周部側でその円周方向に沿って吐出する還流オイル吐出手段を設け、該還流オイル吐出手段からオイルを吐出することにより、上記凹部内でオイルの旋回流を発生させるように上記旋回流発生手段を構成したことを特徴とする請求項１に記載の変速機のオイル供給装置。
【請求項４】
上記吸入口の下端開口部の少なくとも一部を、上記凹部の円周方向の一方の側に向けて開口させると共に、上記オイルパン内に還流されるオイルを、上記凹部内の外周部側でその円周方向に沿って上記吸入口の開口した下端開口部に向けて吐出する還流オイル吐出手段を設け、該還流オイル吐出手段からオイルを吐出させながら上記吸入口からオイルを吸引することにより、上記凹部内でオイルの旋回流を発生させるように上記旋回流発生手段を構成したことを特徴とする請求項１に記載の変速機のオイル供給装置。
【発明の詳細な説明】
【０００１】
【発明の属する技術分野】
本発明は、車両に搭載される変速機のオイル供給装置に関する。
【０００２】
【従来の技術】
車両に搭載される変速機、例えば、自動変速機では、内部に油圧回路を構成するバルブボディを設け、このバルブボディ内の油圧サーボ、バルブ等の各要素にオイルポンプからオイルを供給して、クラッチ、ブレーキ等の摩擦係合要素を係脱することにより、変速機構の各歯車列の動力伝達を選択的に切り換えて出力させることによって複数の変速段を得るようにしている。また、オイルポンプからのオイルは、自動変速機内の各部材に、冷却用あるいは潤滑用としても供給するようにしている。
【０００３】
このような自動変速機におけるオイル供給装置では、バルブボディ内で各要素が作動する際、及び自動変速機内の各部材を冷却あるいは潤滑する際に発生する摩擦によって、オイルに金属粉や塵等が混入する。このため、図７に模式的に示すように、オイルパン５０内にストレーナ５１を配設し、図示しないバルブボディ内の各要素を含む自動変速機内の各部からオイルパン５０に還流されたオイル５２を、ストレーナ５１の底部に形成した吸入口５３の下端開口部５３ａからストレーナ５１及び油圧経路５４を介してオイルポンプ（Ｐ）５５で吸引することによりろ過して、自動変速機内の各部に供給するようにしている。
【０００４】
【発明が解決しようとする課題】
ところで、上述したオイル供給装置では、車両の揺れや振動等により、オイルパン５０内のオイル５２に気泡が混在する場合がある。
【０００５】
しかし、従来のオイル供給装置にあっては、単に、ストレーナ５１の吸入口５３の下端開口部５３ａをオイルパン５０の底部に向けて開口させて、オイルパン５０内のオイル５２を吸引するようにしているため、オイル５２内に気泡が混在している場合には、気泡も一緒に吸引されることになる。
【０００６】
このため、気泡が混入したオイルがバルブボディ内の油圧サーボ、バルブ等の各要素に供給されて、それらの動作が不安定になることが懸念される。
【０００７】
従って、かかる点に鑑みてなされた本発明の目的は、オイルパン内のオイルに気泡が混在しても、オイルのみを確実に吸引してろ過でき、バルブボディ内の各要素を安定した状態で動作させることができる変速機のオイル供給装置を提供することにある。
【０００８】
【課題を解決するための手段】
上記目的を達成する請求項１に記載の変速機のオイル供給装置の発明は、変速機のオイルパン内に配設されたストレーナと、該ストレーナに油圧経路を介して連結されたオイルポンプとを有し、該オイルポンプの作動により上記オイルパン内のオイルを上記ストレーナに形成された吸入口から上記ストレーナ及び上記油圧経路を経て吸引して、上記変速機内の各部に供給するようにした変速機のオイル供給装置において、上記オイルパンの底部に形成した円形状の凹部と、該凹部内でオイルの旋回流を発生させる旋回流発生手段とを設け、上記吸入口が、上記凹部の中心部からオフセットした位置に配置されたことを特徴とする。
【０００９】
請求項１の発明によると、オイルパンの凹部内でオイルに旋回流が生じると、オイルは旋回流の外周側すなわち凹部の外周部側に集まり易くなり、オイル内に混在していた気泡は油面側に移動して旋回流の中心側すなわち凹部の中心部側に集まり易くなる。従って、ストレーナの吸入口を凹部の中心部からオフセットした位置に配置することにより、気泡の混在しないオイルのみを確実に吸引することができるので、バルブボディ内の各要素を安定した状態で動作させることができる。
【００１０】
請求項２に記載の発明は、請求項１の変速機のオイル供給装置において、上記吸入口の下端開口部の少なくとも一部を、上記凹部の円周方向の一方の側に向けて開口させ、該吸入口からオイルを吸引することにより、上記凹部内でオイルの旋回流を発生させるように上記旋回流発生手段を構成したことを特徴とする。
【００１１】
請求項２の発明によると、ストレーナ吸入口の下端開口部の少なくとも一部を凹部の円周方向の一方の側に向けて開口させることで、旋回流発生手段を簡単に構成することができる。
【００１２】
請求項３に記載の発明は、請求項１の変速機のオイル供給装置において、上記オイルパン内に還流されるオイルを、上記凹部内の外周部側でその円周方向に沿って吐出する還流オイル吐出手段を設け、該還流オイル吐出手段からオイルを吐出することにより、上記凹部内でオイルの旋回流を発生させるように上記旋回流発生手段を構成したことを特徴とする。
【００１３】
請求項３の発明によると、還流オイル吐出手段を設けてオイルパン内に還流されるオイルを、凹部内の外周部側で円周方向に沿って吐出させることで、旋回流発生手段を簡単に構成することができる。
【００１４】
請求項４に記載の発明は、請求項１の変速機のオイル供給装置において、上記吸入口の下端開口部の少なくとも一部を、上記凹部の円周方向の一方の側に向けて開口させると共に、上記オイルパン内に還流されるオイルを、上記凹部内の外周部側でその円周方向に沿って上記吸入口の開口した下端開口部に向けて吐出する還流オイル吐出手段を設け、該還流オイル吐出手段からオイルを吐出させながら上記吸入口からオイルを吸引することにより、上記凹部内でオイルの旋回流を発生させるように上記旋回流発生手段を構成したことを特徴とする。
【００１５】
請求項４の発明によると、還流オイル吐出手段からの還流オイルの吐出と、ストレーナの吸入口からのオイルの吸引とにより、凹部内でオイルをより高速に旋回させることができ、これによりオイルを凹部内の外周部側により集めることができると共に、オイル内に混在していた気泡を油面側により確実に移動させて凹部の中心部側に集めることができるので、オイルのみをより確実に吸引することができる。
【００１６】
【発明の実施の形態】
以下、本発明による変速機のオイル供給装置の実施の形態を図を参照して説明する。
【００１７】
（第１実施の形態）
図１乃至図４は第１実施の形態を示すもので、図１は要部の構成を示す概略断面図、図２はストレーナの吸入口の構成を示す拡大断面図、図３及び図４は動作を説明するための図で、図３は図１のＺ方向矢視図、図４はオイルの旋回状態を示す拡大断面図である。
【００１８】
図１において、オイルパン１は、図示しない自動変速機の底部に取り付けられ、このオイルパン１内にストレーナ２が配設されている。ストレーナ２は、中央部にフィルタ３を有しており、底部には下方に突出して吸入口４が形成され、上部には流出口５が形成されている。
【００１９】
ストレーナ２の流出口５は、油圧経路６を介してオイルポンプ（Ｐ）７の吸引ポートに連結され、オイルポンプ７の作動により、オイルパン１内のオイル８が、ストレーナ２の吸入口４から吸入されてフィルタ３でろ過された後、流出口５から油圧経路６を経て自動変速機内の各部に供給されるようになっている。
【００２０】
本実施の形態では、オイルパン１の底部に円形状の凹部１１を形成する。また、ストレーナ２の吸入口４は、凹部１１内でその中心部からオフセットした外周側に位置させると共に、その下端開口部４ａは図２に示すように傾斜させて凹部１１の円周方向の一方の側に向けて開口させる。
【００２１】
このように構成することにより、オイルポンプ７を作動させて、オイルパン１内のオイル８をストレーナ２の吸入口４から吸入すると、吸入口４の下端開口部４ａが凹部１１の円周方向の一方の側に向けて傾斜して開口しているので、オイルパン１内のオイル８には、図３に矢印で示すように、吸入口４の下端開口部４ａに向かう方向に旋回流が生じる。これにより、凹部１１内では、図４に示すように外周部側にオイル８が集まり易くなり、オイル８内に混在していた気泡は油面側に移動して旋回流の中心部、すなわち凹部１１の中心部側に集まり易くなるので、吸入口４から気泡の混在しないオイル８のみを確実に吸引してろ過することができ、バルブボディ内の各要素を安定した状態で動作させることができる。
【００２２】
しかも、吸入口４の下端開口部４ａを凹部１１の円周方向の一方の側に傾斜して開口させてオイル８を吸引することにより旋回流を発生させるようにしたので、旋回流発生手段を簡単に構成することができる。
【００２３】
（第２実施の形態）
図５及び図６は第２実施の形態を示すもので、図５は要部の構成を示す概略断面図、図６は動作を説明するための図５のＺ方向矢視図である。
【００２４】
本実施の形態は、第１実施の形態において、更に、オイルパン１に還流されるオイルを、凹部１１内の外周部側で円周方向に沿って吸入口４の開口した下端開口部４ａに向けて吐出する還流オイル吐出パイプ１５を付加したものである。
【００２５】
このように構成すれば、ストレーナ２の吸入口４からのオイルの吸引と、還流オイル吐出パイプ１５からの還流オイルの吐出とにより、図６に矢印で示すように、凹部１１内でオイル８を吸入口４の下端開口部４ａに向かう方向により高速に旋回させることができるので、凹部１１内でオイル８を外周部側により集めることができると共に、オイル８内に混在していた気泡を油面側により確実に移動させて凹部１１の中心部側に集めることができる。従って、吸入口４から気泡の混在しないオイル８のみをより確実に吸引ろ過してバルブボディに供給できるので、バルブボディ内の各要素をより安定した状態で良好に動作させることができる。
【００２６】
なお、本発明は上記実施の形態に限定されることなく、発明の趣旨を逸脱しない範囲で種々変更可能である。例えば、第２実施の形態において、ストレーナ２の吸引口４の下端開口部４ａを周方向に向けることなく、従来と同様にオイルパン１の底部に向けて開口させることもできる。このように構成しても、還流オイル吐出パイプ１５からの還流オイルの吐出により、凹部１１内でオイル８に旋回流を生じさせることができるので、オイル８のみを確実に吸引することができる。しかも、還流オイル吐出パイプ１５を設けて旋回流を発生させるので、旋回流発生手段を簡単に構成することができると共に、ストレーナ２の吸引口４の下端開口部４ａがオイルパン１の底部に向けて開口しているので、オイルパン１内のオイル８が少なくなった場合でも、気泡の吸引を防止することができる。
【００２７】
また、上記実施の形態では、自動変速機を例に説明したが、オイルポンプを備えた手動変速機のオイル供給装置に適用することもできる。
【００２８】
【発明の効果】
以上のように、本発明によれば、オイルパンの底部に円形状の凹部を形成して、凹部内でオイルの旋回流を発生させ、凹部内でその中心部からオフセットした位置においてストレーナの吸入口からオイルを吸引するようにしたので、オイル内に気泡が混入した場合でもオイルのみを確実に吸引することができ、バルブボディ内の各要素を安定した状態で動作させることができる。
【図面の簡単な説明】
【図１】本発明による変速機のオイル供給装置の第１実施の形態の要部の構成を示す概略断面図である。
【図２】図１に示すストレーナの吸入口の構成を示す拡大断面図である。
【図３】図１のＺ方向矢視図である。
【図４】オイルの旋回状態を示す拡大断面図である。
【図５】本発明による変速機のオイル供給装置の第２実施の形態の要部の構成を示す概略断面図である。
【図６】図５のＺ方向矢視図である。
【図７】従来の自動変速機のオイル供給装置の概略構成を模式的に示す図である。
【符号の説明】
１　　　オイルパン
２　　　ストレーナ
３　　　フィルタ
４　　　吸入口
４ａ　　下端開口部
５　　　流出口
６　　　油圧経路
７　　　オイルポンプ
８　　　オイル
１１　　　凹部
１５　　　還流オイル吐出パイプ
【図１】
2004028145.tif 000003
【図２】
2004028145.tif 000004
【図３】
2004028145.tif 000005
【図４】
2004028145.tif 000006
【図５】
2004028145.tif 000007
【図６】
2004028145.tif 000008
【図７】
2004028145.tif 000009